(57)【要約】【課題】外部からの火炎の侵入を抑制することができるブラインド装置及びこれを備えた建築物を提供する。【解決手段】ブラインド装置１は、壁部Ｗに穿設された開口部Ｍの周縁に設けられた枠部材１０と、前記枠部材１０に設けられた支持部材３０と、該支持部材３０に支持され、水平方向に延在するとともに、上下方向に複数配設された羽部材５０と、前記水平方向に延在する軸線を中心として前記羽部材５０を回動可能とする回動機構と、前記羽部材を前記上下方向に移動可能とする移動機構８０とを備えるブラインド装置１であって、前記羽部材５０は、その外周部に周囲温度が一定値を超えた場合に発泡する吸熱発泡断熱材で構成された羽部材用発泡部６１を有することを特徴とする。【選択図】図１
2014118802.tif 000002
【特許請求の範囲】
【請求項１】
壁部に穿設された開口部の周縁に設けられた枠部材と、
前記枠部材に設けられた支持部材と、
該支持部材に支持され、水平方向に延在するとともに、上下方向に複数配設された羽部材と、
前記水平方向に延在する軸線を中心として前記羽部材を回動可能とする回動機構と、
前記羽部材を前記上下方向に移動可能とする移動機構とを備えるブラインド装置であって、
前記羽部材は、その外周部に周囲温度が一定値を超えた場合に発泡する吸熱発泡断熱材で構成された羽部材用発泡部を有することを特徴とするブラインド装置。
【請求項２】
請求項１に記載のブラインド装置において、
前記枠部材は、その外周部に前記吸熱発泡断熱材で構成された枠部材用発泡部を有することを特徴とするブラインド装置。
【請求項３】
請求項１又は請求項２に記載のブラインド装置において、
前記支持部材は、その外周部に前記吸熱発泡断熱材で構成された支持部材用発泡部を有することを特徴とするブラインド装置。
【請求項４】
請求項１から請求項３のいずれか一項に記載のブラインド装置において、
前記移動機構は、前記複数の羽部材に孔部を穿設し、前記複数の羽部材の前記孔部に挿通された挿通部材を上下動するように構成され、
前記孔部の内縁には、前記吸熱発泡断熱材で構成された孔用発泡部が設けられていることを特徴とするブラインド装置。
【請求項５】
請求項１から請求項４のいずれか一項に記載のブラインド装置において、
外部の温度を感知するセンサーと、該センサーからの出力に基づいて前記移動機構を制御する制御部とを備えることを特徴とするブラインド装置。
【請求項６】
請求項１から請求項５のいずれか一項に記載のブラインド装置を備えることを特徴とする建築物。
【発明の詳細な説明】
【技術分野】
【０００１】
本発明は、ブラインド装置及びこれを備えた建築物に関するものである。
【背景技術】
【０００２】
従来より、建築物の外壁に設けられた窓の室内側には、太陽光や風を遮断・調整するためにブラインドが設けられている。
【０００３】
ここで、ブラインドとしては、水平方向に向かって延在するとともに上下方向に向かって複数配設された羽部材を備える構成が提案されている（下記特許文献１参照）。このようなブランドでは、羽部材が水平方向を軸線として回動可能とされるとともに、上下方向に移動可能とされている。よって、羽部材を回動させて羽部材の上下間の間隙の距離（以下、間隙距離と称する。）を調整することにより、太陽光の入射量等を調整することができる。
【０００４】
具体的には、間隙距離を大きく設定することにより太陽光の入射量を大きくすることができ、間隙距離を小さく設定することにより太陽光の入射量を抑えることができる。
【０００５】
また、下階で火災が発生した場合に、上昇してきた火炎が室内に侵入するのを防止するブラインドとして、羽部材を難燃性の高い素材で構成して防炎性を向上させた技術が提案されている（下記特許文献２参照）。
【先行技術文献】
【特許文献】
【０００６】
【特許文献１】特開２００２−１４７１３８号公報
【特許文献２】特開２０１１−１２２３９０号公報
【発明の概要】
【発明が解決しようとする課題】
【０００７】
しかしながら、上記の特許文献１記載のブラインドで間隙距離を大きく設定した状態において、下階で火災が発生して火炎が上昇すると、上階の窓から侵入した火炎がブラインドの間隙部分から室内に侵入する虞があり、防火対策上好ましくないという問題点がある。
【０００８】
上記の特許文献２に記載のブラインドにおいても、間隙距離を大きくした状態では、ブラインド自体の燃焼は低減されるものの、室内への火炎の侵入を防止することはできず、同様に防火対策上好ましくないという問題点がある。
【０００９】
そこで、本発明は、上記事情に鑑みてなされたものであり、外部からの火炎の侵入を抑制することができるブラインド装置及びこれを備えた建築物を提供する。
【課題を解決するための手段】
【００１０】
上記目的を達成するために、本発明は以下の手段を採用している。
すなわち、本発明に係るブラインド装置は、壁部に穿設された開口部の周縁に設けられた枠部材と、前記枠部材に設けられた支持部材と、該支持部材に支持され、水平方向に延在するとともに、上下方向に複数配設された羽部材と、前記水平方向に延在する軸線を中心として前記羽部材を回動可能とする回動機構と、前記羽部材を前記上下方向に移動可能とする移動機構とを備えるブラインド装置であって、前記羽部材は、その外周部に周囲温度が一定値を超えた場合に発泡する吸熱発泡断熱材で構成された羽部材用発泡部を有することを特徴とする。
【００１１】
このようなブラインド装置では、火災時には羽部材の羽部材用発泡部が発泡することにより、上側に配設された羽部材と下側に配設された羽部材との間に形成された間隙は該羽部材用発泡部により埋められるため、外部からの火炎の侵入を抑えることができる。
【００１２】
また、本発明に係るブラインド装置は、前記枠部材は、その外周部に前記吸熱発泡断熱材で構成された枠部材用発泡部を有することが好ましい。
【００１３】
このようなブラインド装置では、火災時には枠部材の枠部材用発泡部が発泡することにより、枠部材と羽部材との間に形成された間隙は該枠部材用発泡部により埋められるため、外部からの火炎の侵入を抑えることができる。
【００１４】
また、本発明に係るブラインド装置は、前記支持部材は、その外周部に前記吸熱発泡断熱材で構成された支持部材用発泡部を有していてもよい。
【００１５】
このようなブラインド装置では、火災時には支持部材の支持部材用発泡部が発泡することにより、支持部材と羽部材との間に形成された間隙は該支持部材用発泡部により埋められるため、外部からの火炎の侵入を抑えることができる。
【００１６】
また、本発明に係るブラインド装置は、前記移動機構は、前記移動機構は、前記複数の羽部材に孔部を穿設し、前記複数の羽部材の前記孔部に挿通された挿通部材を上下動するように構成され、前記孔部の内縁には、前記吸熱発泡断熱材で構成された孔用発泡部が設けられていてもよい。
【００１７】
このようなブラインド装置では、火災時には孔部に設けられた孔用発泡部が発泡することにより、孔部は該孔用発泡部により埋められるため、外部からの火炎の侵入を抑えることができる。
【００１８】
また、本発明に係るブラインド装置は、外部の温度を感知するセンサーと、該センサーからの出力に基づいて前記移動機構を制御する制御部とを備えていてもよい。
【００１９】
このようなブラインド装置では、火災時に羽部材が上方に移動していた場合でも、センサーからの出力に基づいて羽部材は下方に移動し窓が羽部材で覆われた状態となるため、火炎の侵入を抑制することができる。
【００２０】
また、本発明に係る建築物は、上記のいずれか一に記載のブラインド装置を備えることを特徴とする建築物。
【００２１】
このような建築物では、外部からの火炎の侵入を抑制することができる。
【発明の効果】
【００２２】
本発明に係るブラインド装置及びこれを備えた建築物によれば、上位置の羽部材と下位置の羽部材との間に形成された間隙は該羽部材用発泡部により埋められるため、外部からの火炎の侵入を抑制することができる。
【図面の簡単な説明】
【００２３】
【図１】本発明の一実施形態に係る建築物におけるブランインド装置近傍を正面視した図である。
【図２】本発明の一実施形態に係る建築物におけるブランインド装置が（ａ）上部に移動した場合、（ｂ）上下方向にわたって配設された場合の縦断面図である。
【図３】本発明の一実施形態に係る建築物におけるブランインド装置の孔部を通った縦断面図である。
【図４】本発明の一実施形態に係る建築物におけるブランインド装置の上部における（ａ）通常時、（ｂ）火災時の縦断面図である。
【図５】本発明の一実施形態に係る建築物におけるブランインド装置の下部における（ａ）通常時、（ｂ）火災時の縦断面図である。
【図６】本発明の一実施形態に係る建築物におけるブランインド装置の羽部材が閉じた状態の（ａ）通常時、（ｂ）火災時の縦断面図である。
【図７】本発明の一実施形態に係る建築物におけるブランインド装置の羽部材が開いた状態の（ａ）通常時、（ｂ）火災時の縦断面図である。
【図８】本発明の一実施形態に係る建築物におけるブランインド装置の羽部材を（ａ）通常時、（ｂ）火災時に正面視した図である。
【発明を実施するための形態】
【００２４】
以下、図面を参照し、本発明の一実施形態に係るブラインド装置を備えた建築物について説明する。
【００２５】
図１は、建築物にブラインド装置が設けられた状態を室内側から正面視した図である。
ここで、便宜上、図１に示す室内側を表側（紙面手前側）と、窓側を裏側（紙面奥側）と称する。
【００２６】
図１及び図２に示すように、建築物２の外壁Ｗ（壁部）には該壁厚方向に開口部３が穿設されており、該開口部３には裏側に窓Ｍが設けられ、表側にブラインド装置１が設けられている。
窓Ｍは、正面視略矩形に形成され、網入りガラス、耐熱強化ガラス、フロートガラス等のガラス部材から構成されている。
【００２７】
図１及び図３に示すように、ブラインド装置１は、開口部３に設けられた枠部材１０と、該枠部材１０に設けられた支持部材３０と、該支持部材３０に支持された羽部材５０と、羽部材５０を回動可能とする回動機構７０と、羽部材５０を上下方向に移動可能とする移動機構８０と、外部の温度を感知するセンサー１０１と、移動機構８０を制御する制御部１０２とを備えている。
【００２８】
図１に示すように、枠部材１０は、開口部３の周縁に設けられ、上方に配設された上枠部１１、下方に配設された下枠部１２、上枠部１１と下枠部１２とを連結する左右一対の側枠部１３とを有している。
【００２９】
この上枠部１１、下枠部１２及び一対の側枠部１３は、その外周部、本実施形態では上枠部１１の下部、下枠部１２の上部、一対の側枠部１３の左右方向内側に、周囲温度が一定値を超えた場合に発泡する吸熱発泡断熱材で構成された枠部材用発泡部２１，２２，２３を有している。
【００３０】
図１、図４及び図５に示すように、枠部材用発泡部２１，２２，２３は、上枠部１１の下部に配設された枠部材用上発泡部２１と、下枠部１２の上部に配設された枠部材用下発泡部２２と、一対の側枠部１３の左右方向内側に配設された枠部材用側発泡部２３とで構成されている。
【００３１】
吸熱発泡断熱材は、例えば珪酸ナトリウム、珪酸リチウム、珪酸カリウム、耐火塗料等を主成分として、アルカリ金属類を添加したもので構成されている。また、この吸熱発泡断熱材は、例えば数十μｍ〜数ｍｍの厚みで貼付されている。
【００３２】
支持部材３０は、一対の側枠部１３の上部を連結するとともに、複数の羽部材５０を支持している。
図４に示すように、この支持部材３０は、その外周部、本実施形態では上部、下部、表側、裏側、左端、右端に上記吸熱発泡断熱材で構成された支持部材用発泡部４１，４２，４３，４４を有している。
【００３３】
支持部材用発泡部４１，４２，４３，４４は、支持部材３０の上部に配設された支持部材用上発泡部４１と、支持部材３０の下部に配設された支持部材用下発泡部４２と、支持部材３０の表側に配設された支持部材用表発泡部４３と、支持部材３０の裏側に配設された支持部材用裏発泡部４４とで構成されている。
【００３４】
羽部材５０は、支持部材３０に支持され水平方向に延在するとともに、上下方向に複数配設されている。本実施形態では、詳細については後述する第一紐部７１、第二紐部７２及び連結紐部７３を介して支持部材３０に支持されている。
【００３５】
図１及び図６に示すように、羽部材５０は、所定の厚みを有し左右方向に横長の略矩形状に形成され、室内側に配設された表羽部５１と、窓Ｍ側に配設された裏羽部５２と、上側に配設された上羽部５３と、下側に配設された下羽部５４と、左側に配設された左羽部５５と、右側に配設された右羽部５６とを有している。
【００３６】
表羽部５１、裏羽部５２、上羽部５３、下羽部５４、左羽部５５及び右羽部５６は、その外周部に上記吸熱発泡断熱材で構成された羽部材用発泡部６１，６２，６３，６４，６５，６６を有している。
【００３７】
羽部材用発泡部６１，６２，６３，６４，６５，６６は、表羽部５１に配設された羽部材用表発泡部６１と、裏羽部５２に配設された羽部材用裏発泡部６２と、上羽部５３に配設された羽部材用上発泡部６３と、下羽部５４に配設された羽部材用下発泡部６４と、左羽部５５に配設された羽部材用左発泡部６５と、右羽部５６に配設された羽部材用右発泡部６６とで構成されている。
【００３８】
図３に示すように、回動機構７０は、水平方向（本実施形態では左右方向）に延在する軸線を中心として羽部材５０を回動可能としている。
【００３９】
本実施形態では、上端が支持部材３０に固定され下方に向かって延在し羽部材５０の表側及び裏側に配設された第一紐部７１及び第二紐部７２と、第一紐部７１と第二紐部７２を連結する上下一対の複数の連結紐部７３とを有している。
【００４０】
羽部材５０は、第一紐部７１の裏側、第二紐部７２の表側、一対の連結紐部７３の間に配設されている。ここで、図６に示す羽部材５０の表羽部５１が表側を向く状態（以下、閉状態と称する。）から第一紐部７１を下方に移動させれば連結紐部７３が水平方向に向かって延在するため、図７に示す羽部材５０の裏羽部５２が上方を向く状態（以下、開状態と称する。）となる。そして、第一紐部７１を上方に移動させれば連結紐部７３が表側から裏側に向かうにしたがって下方に向かって延在するため、再び図６に示す羽部材５０の表羽部５１が表側を向く状態となる。
【００４１】
図３に示すように、移動機構８０は、羽部材５０を上下方向に移動可能としており、本実施形態では、羽部材５０に孔部８１を穿設し、複数の羽部材５０の孔部８１に挿通された挿通部材８２を上下動するように構成されている。
【００４２】
挿通部材８２は、上端が支持部材３０に固定されるとともに下端が最下の羽部材５０に固定されている。
【００４３】
ここで、図７に示す羽部材５０の開状態から挿通部材８２の下端を上方に移動させるとともに挿通部材８２を縮ませると、複数の羽部材５０が互いにその配設距離を短くして図２（ａ）に示すように上方で集約された状態となる。一方、図２（ａ）に示す状態から挿通部材８２の下端を下方に移動させるとともに挿通部材８２を伸張すると、複数の羽部材５０が互いにその配設距離を長くして図２（ｂ）に示すように開口部３の上部から下部にわたって配設された伸張状態となる。
【００４４】
図８に示すように、孔部８１は、羽部材５０に左右方向に横長に形成されており、その内縁には、上記吸熱発泡断熱材で構成された孔用発泡部９１，９２が設けられている。
【００４５】
孔用発泡部９１，９２は、孔部８１の内縁における表側に配設された孔用表発泡部９１と、孔部８１の内縁における裏側に配設された孔用裏発泡部９２とで構成されている。
【００４６】
図１に示すように、センサー１０１は外部の温度を感知し、制御部１０２はセンサー１０１からの出力に基づいて移動機構８０を制御する。
【００４７】
本実施形態では、センサー１０１は開口部３の下方であって、外壁Ｗの外側に設けられており所定温度以上となると回路を遮断する温度ヒューズが用いられている。そして、センサー１０１から出力に基づいて制御部１０２は移動機構８０を制御して、羽部材５０を下方に移動させる。
【００４８】
次に、このように構成されたブラインド装置１を備えた建築物２において、下階で火災が発生した場合におけるブラインド装置１の状態変化について説明する。ここで、ブラインド装置１の羽部材５０は開状態とされ、移動機構８０により上方に移動して集約された図２（ａ）に示す状態とする。
【００４９】
下階で火災が発生し所定の温度以上になると、センサー１０１からの出力に基づいて、制御部１０２が移動機構８０を制御して、羽部材５０を下方に移動させる。すなわち、挿通部材８２の下端が下方に移動するとともに挿通部材８２が伸張するにしたがって、羽部材５０が下方に移動し開口部３の上下方向にわたって複数の羽部材５０が配設された図２（ｂ）に示す状態となる。
【００５０】
この状態で、周囲温度がさらに上昇すると、羽部材用発泡部６１，６２，６３，６４，６５，６６、枠部材用発泡部２１，２２，２３、支持部材用発泡部４１，４２，４３，４４及び孔用発泡部９１，９２は、熱を受け吸熱しながら発泡する。
【００５１】
図７に示すように、上下方向に配設された羽部材５０の間では、上側に位置する羽部材５０の羽部材用表発泡部６１及び下側に位置する羽部材５０の羽部材用裏発泡部６２が発泡することにより、上側の羽部材５０と下側の羽部材５０との間に形成された間隙は埋められる。
【００５２】
また、図５に示すように、下枠部１２と最下の羽部材５０との間では、下枠部１２の上部に配設された枠部材用下発泡部２２及び表羽部５１に配設された羽部材用表発泡部６１が発泡することにより、下枠部１２と最下の羽部材５０との間に形成された間隙は埋められる。
【００５３】
また、図４に示すように、上枠部１１と支持部材３０との間では、上枠部１１の下部に配設された枠部材用上発泡部２１及び支持部材３０の上部に配設された支持部材用上発泡部４１が発泡することにより、上枠部１１と支持部材３０との間に形成された間隙は埋められる。
【００５４】
また、図８に示すように、孔部８１は、孔用表発泡部９１及び孔用裏発泡部９２が発泡することにより、孔部８１は塞がれる。
【００５５】
また、図４に示すように、支持部材３０と羽部材５０との間では、支持部材３０の下部に配設された支持部材用下発泡部４２及び裏羽部５２に配設された羽部材用裏発泡部６２が発泡することにより、支持部材３０と羽部材５０との間に形成された間隙は埋められる。
【００５６】
また、羽部材５０と側枠部１３との間にでは、左羽部５５（右羽部５６）に配設された羽部材用左発泡部６５（羽部材用右発泡部６６）及び側枠部１３に配設された枠部材用側発泡部２３が発泡することにより、羽部材５０と側枠部１３との間に形成された間隙は埋められる。
【００５７】
次に、ブラインド装置１の羽部材５０が図６に示す閉状態とされている場合において、下階で火災が発生した場合におけるブラインド装置１の状態変化について説明する。
【００５８】
この状態でも、上下方向に配設された羽部材５０の間では、上側に位置する羽部材５０の羽部材用表発泡部６１及び下側に位置する羽部材５０の羽部材用裏発泡部６２が発泡することにより、上側の羽部材５０と下側の羽部材５０との間に形成された間隙は埋められる。
【００５９】
なお、下枠部１２と羽部材５０との間、上枠部１１と支持部材３０との間、孔部８１、支持部材３０と羽部材５０との間、羽部材５０と側枠部１３との間にでは、開状態とされた羽部材５０と同様に間隙が埋められるため説明を省略する。
【００６０】
このように構成されたブラインド装置１を備えた建築物２では、羽部材５０が開状態とされて移動機構８０により上方に移動して集約された状態でも、所定の温度以上になるとセンサー１０１からの出力に基づいて、羽部材５０を下方に移動させ開口部３の上下方向にわたって複数の羽部材５０が配設された状態となる。
【００６１】
そして、温度がさらに上昇して、周囲温度が一定値を超えると、羽部材用発泡部６１，６２が発泡することにより、上側の羽部材５０と下側の羽部材５０との間に形成された間隙は羽部材用発泡部６１，６２により埋められるため、外部からの火炎の侵入を抑えることができる。
【００６２】
同様に、下枠部１２と羽部材５０との間、上枠部１１と支持部材３０との間、孔部８１、支持部材３０と羽部材５０との間及び羽部材５０と側枠部１３との間の間隙は埋められるため、外部からの火炎の侵入を抑えることができる。
【００６３】
また、羽部材５０が閉状態とされていても、羽部材用発泡部６１，６２が発泡することにより、上側の羽部材５０と下側の羽部材５０との間に形成された間隙は羽部材用発泡部６１，６２により埋められるため、外部からの火炎の侵入を抑えることができる。
【００６４】
また、上記の通り羽部材用発泡部６１，６２，６３，６４，６５，６６、枠部材用発泡部２１，２２，２３、支持部材用発泡部４１，４２，４３，４４及び孔用発泡部９１，９２は、熱を吸熱することができるため室内の温度上昇を抑えることができる。例えば、室内の温度を１４０℃以内に抑えることができ、延焼拡大を確実に防止することができる。
【００６５】
また、羽部材用発泡部６１，６２，６３，６４，６５，６６、枠部材用発泡部２１，２２，２３、支持部材用発泡部４１，４２，４３，４４及び孔用発泡部９１，９２の厚みを調整することで、室内の上昇温度を調整することができる。
【００６６】
また、羽部材５０を閉状態とすることで太陽光を遮断することができるため、室内の省エネルギーの観点からも好ましい。
また、外観上は一般的なブラインド装置１と同等であるため、意匠性の面も有利である。
【００６７】
なお、上述した実施の形態において示した各構成部材の諸形状や組み合わせ等は一例であって、本発明の主旨から逸脱しない範囲において設計要求等に基づき種々変更可能である。
【符号の説明】
【００６８】
１…ブラインド装置
２…建築物
Ｗ…外壁（壁部）
３…開口部
１０…枠部材
２１…枠部材用上発泡部（枠部材用発泡部）
２２…枠部材用下発泡部（枠部材用発泡部）
２３…枠部材用側発泡部（枠部材用発泡部）
３０…支持部材
４１…支持部材用上発泡部（支持部材用発泡部）
４２…支持部材用下発泡部（支持部材用発泡部）
４３…支持部材用表発泡部（支持部材用発泡部）
４４…支持部材用裏発泡部（支持部材用発泡部）
４５…支持部材用左発泡部（支持部材用発泡部）
４６…支持部材用右発泡部（支持部材用発泡部）
５０…羽部材
６１…羽部材用表発泡部（羽部材用発泡部）
６２…羽部材用裏発泡部（羽部材用発泡部）
６３…羽部材用上発泡部（羽部材用発泡部）
６４…羽部材用下発泡部（羽部材用発泡部）
６５…羽部材用左発泡部（羽部材用発泡部）
６６…羽部材用右発泡部（羽部材用発泡部）
７０…回動機構
８０…移動機構
８１…孔部
８２…挿通部材
９１…孔用表発泡部（孔用発泡部）
９２…孔用裏発泡部（孔用発泡部）
１０１…センサー
１０２…制御部
【図１】
2014118802.tif 000003
【図２】
2014118802.tif 000004
【図３】
2014118802.tif 000005
【図４】
2014118802.tif 000006
【図５】
2014118802.tif 000007
【図６】
2014118802.tif 000008
【図７】
2014118802.tif 000009
【図８】
2014118802.tif 000010